(57)【要約】【課題】モータの起動時から正常な制御動作を行うことができる駆動装置の提供。【解決手段】駆動装置１は、動力伝達ユニットとトルク検知センサ５と制御部２１とを含む。動力伝達ユニットは、モータ回転軸３の外周面に圧接され弾性体からなる複数の遊星ローラ４、複数の遊星ローラ４と内周面で接し外周面上に突出した突出部６ａを有するリング６、リング６を覆っており突出部６ａが移動可能な幅を有する開口部９ａが形成された固定体９、遊星ローラ４の回転に連動して回転するキャリアローラ７及びこの回転を出力する出力軸８を備える。トルク検知センサ５は出力軸８の出力トルクを検知する。制御部２１は、この出力トルクが、上記動力伝達ユニットにより回転駆動される感光体ドラム３２と、別の動力伝達手段により駆動され感光体ドラム３２の外周面に当接された転写ベルト３３との間の摩擦力に対応するトルク以上となるように、モータ２の回転を制御する。【選択図】図４
2007264406.tif 000002
【特許請求の範囲】
【請求項１】
モータの回転軸の外周面に圧接されており、少なくとも一部が弾性体からなる複数の遊星ローラと、前記複数の遊星ローラと内周面で接しており、外周面上に突出した突出部を有しているリングと、前記リングを覆うように位置しており、前記リングの突出部に対応する位置に前記突出部が所定の距離を移動可能な幅を有する開口部が形成された固定体と、前記遊星ローラの回転に連動して回転するキャリアローラと、前記キャリアローラの回転を外部に出力する出力軸と、を備える遊星ローラ式動力伝達ユニットと、
前記出力軸の出力トルクを検知するトルク検知手段と、
前記トルク検出手段により検知される前記出力軸の出力トルクが、前記遊星ローラ式動力伝達ユニットにより回転駆動される像担持体と、前記遊星ローラ式動力伝達ユニットとは別の動力伝達手段により回転駆動され、かつ前記像担持体の外周面に当接されている転写装置との間の摩擦力に対応するトルク以上となるように、前記モータの回転を制御する制御手段と、
を含む、駆動装置。
【請求項２】
前記出力軸の回転速度を検知する速度検知手段を更に含み、
前記制御手段は、前記速度検知手段により検知される前記出力軸の回転速度が前記転写装置の回転速度以上となるように、前記モータの回転を制御する、請求項１に記載の駆動装置。
【請求項３】
前記制御手段は、画像形成処理の開始指示があってから前記画像形成処理が開始されるまでの間に、前記モータの回転を制御する、請求項１または２に記載の駆動装置。
【請求項４】
前記制御手段は、前記転写装置の回転駆動が開始される前に前記出力軸の回転を開始させるように、前記モータの回転を制御する、請求項１または２に記載の駆動装置。
【発明の詳細な説明】
【技術分野】
【０００１】
本発明は、画像形成装置に用いられる駆動装置に関する。
【背景技術】
【０００２】
カラープリンタやカラー複写機等のカラー画像形成装置は、各色成分用の感光体ドラムや転写ベルト等の装置を回転及び駆動させるための駆動装置を有する。駆動装置としては、モータと、モータの回転を減速する遊星方式の減速装置とを含むものがある。
【０００３】
近年、カラー画像形成装置の低コスト化に伴い、遊星方式の減速装置における遊星ローラは、特許文献１に示すように、少なくともその一部分を例えばゴム等の弾性体を用いて形成されつつある。弾性体の遊星ローラは、モータの回転を外部に伝える出力軸に圧接されているため、弾性変形が生じる。遊星ローラの弾性体に生じた弾性変形は、減速装置の出力軸の回転速度の変動をもたらす。更に、減速装置の出力軸の回転速度が変動している間に生成される画像には、色ズレや色ムラ等が表れる。
【０００４】
特許文献２には、遊星ローラに弾性体を用いた場合に、モータの回転速度を直接的に制御することで出力軸の回転速度を均一にする回転駆動装置が開示されている。具体的には、特許文献２の回転駆動装置は、ステッピングモータと減速装置とフィードバック制御手段とを備える。減速装置は、弾性体の摩擦接触によりトルク伝達を行うトルク伝達部を含みかつ歯車によるトルク伝達部を含まないものであり、モータの回転を減速して感光体ドラムに出力する。フィードバック制御手段は、減速装置の出力回転速度を検出して目標速度との差分値を求め、差分値に基づいてモータに速度指令信号を与え、モータの回転速度を直接的に制御する。
【特許文献１】特開２００２−１１５７５１号公報
【特許文献２】特開２００２−１７１７７９号公報
【発明の開示】
【発明が解決しようとする課題】
【０００５】
しかしながら、特許文献２では、以下の問題点がある。
【０００６】
モータが回転を停止し再駆動するまでの間に弾性体の遊星ローラに生じた弾性変形は、再駆動後しばらくの間、減速装置の出力軸の回転速度にムラを生じさせる。モータ停止時、遊星ローラに生じた弾性変形に起因して起こる減速装置の出力軸の回転速度が不均一な期間は、特許文献２の装置がフィードバック制御する際の応答時間よりもはるかに大きい。従って、特許文献２の装置に係るフィードバック制御により、モータ停止時に遊星ローラに生じた弾性変形により起こる減速装置の出力軸の回転速度のムラを検知してモータの回転速度を制御すると、過制御が生じてしまう。
【０００７】
そこで、本件出願人は、遊星ローラの弾性変形により生じる減速装置の出力軸の回転速度のムラが画像に影響を及ぼすことを防止する駆動装置を発明し、既に出願している（特願2005-368480号）。この駆動装置は、複数の弾性体の遊星ローラと内周面で接しており、外周面上に突出した突出部を有するリングと、このリングを覆っており、リングの突出部に対応する位置に開口部が形成された固定体とを有する遊星方式の減速装置を備え、画像形成動作が行われていない時に突出部が開口部内を往復移動するようにモータを駆動させる装置である。
【０００８】
しかし、画像形成動作の開始指示を受けてモータを起動させる際、リングの突出部が固定体の開口部内を移動できる位置にあると、リングの突出部はモータの回転により固定体の開口部内をその移動可能距離分だけ移動してしまう。この期間、駆動装置は、感光体ドラムを目標の速度で回転させるための回転を出力することができないため、正常なフィードバック制御を行うことができない。
【０００９】
特に、モータを起動させた時、感光体ドラムに接しながら駆動する転写ベルトの回転速度が感光体ドラムの回転速度よりも速い場合、感光体ドラムは転写ベルトの回転に連れ回されるためリングが逆方向に回転し、リングの突出部が開口部の内壁から離れて開口部内を移動してしまう。これにより、駆動装置は制御動作不能となってしまう。
【００１０】
そこで、本発明は、画像形成動作の開始指示を受けてモータが起動する時から、正常な制御動作を行うことができる駆動装置を提供する。
【課題を解決するための手段】
【００１１】
前記課題を解決するために、発明１は、遊星ローラ式動力伝達ユニット、トルク検知手段及び制御手段を含む駆動装置を提供する。遊星ローラ式動力伝達ユニットは、モータの回転軸の外周面に圧接されており、少なくとも一部が弾性体からなる複数の遊星ローラと、前記複数の遊星ローラと内周面で接しており、外周面上に突出した突出部を有しているリングと、前記リングを覆うように位置しており、前記リングの突出部に対応する位置に前記突出部が所定の距離を移動可能な幅を有する開口部が形成された固定体と、前記遊星ローラの回転に連動して回転するキャリアローラと、前記キャリアローラの回転を外部に出力する出力軸と、を備える。トルク検知手段は、前記出力軸の出力トルクを検知する。制御手段は、前記トルク検出手段により検知される前記出力軸の出力トルクが、前記遊星ローラ式動力伝達ユニットにより回転駆動される像担持体と、前記遊星ローラ式動力伝達ユニットとは別の動力伝達手段により回転駆動され、かつ前記像担持体の外周面に当接されている転写装置との間の摩擦力に対応するトルク以上となるように、前記モータの回転を制御する。
【００１２】
転写装置の回転速度が像担持体の回転速度よりも速い場合、像担持体が転写装置の回転動作により連れ回されるためリングが逆方向に回転し、リングの突出部は開口部の内壁から離れて開口部内を移動してしまう。この場合、駆動装置は像担持体の回転を制御できなくなってしまう。しかし、この駆動装置は、出力軸の出力トルクが像担持体と転写装置との間の摩擦力に対応するトルク以上となるようにモータの回転を制御する。一般的に、トルクを高めると回転速度も速くなるため、この駆動装置の動力伝達ユニットにより回転駆動される像担持体の回転速度は、転写装置の回転速度よりも速くなる。従って、転写装置の回転動作により像担持体が連れ回され、リングの突出部が固定体の開口部内を移動してしまう現象が生じないため、駆動装置は正常な制御動作を行うことができる。
【００１３】
発明２は、前記発明１において、前記出力軸の回転速度を検知する速度検知手段を更に含み、前記制御手段が、前記速度検知手段により検知される前記出力軸の回転速度が前記転写装置の回転速度以上となるように、前記モータの回転を制御する駆動装置を提供する。
【００１４】
これにより、動力伝達ユニットにより回転駆動される像担持体の回転速度は転写装置の回転速度よりも速くなる。従って、駆動装置は、転写装置の回転動作により像担持体が連れ回される現象を防ぐことができ、像担持体の回転をより確実に制御することができる。
【００１５】
発明３は、前記発明１または２において、前記制御手段が、画像形成処理の開始指示があってから前記画像形成処理が開始されるまでの間に、前記モータの回転を制御する駆動装置を提供する。
【００１６】
固定体の開口部内におけるリングの突出部の位置により、モータは画像形成処理の開始指示を受けても直ぐには回転を始めない場合がある。例えば、リングの突出部が固定体の開口部内を移動できる位置にある場合、モータを起動させるとリングの突出部は固定体の開口部内をその移動可能な距離分だけ移動する。この間の出力軸の回転速度は微速となるため、転写装置の回転速度が像担持体の回転速度よりも速くなる可能性が高い。しかし、画像形成処理の開始指示を受けてから画像形成処理が開始されるまでの間に発明１または２の制御が行われることにより、リングの突出部は固定体の開口部内の内壁に速く到達する。従って、像担持体は正常な回転動作を安定して行うことができる。
【００１７】
発明４は、前記発明１または２において、前記制御手段が、前記転写装置の回転駆動が開始される前に前記出力軸の回転を開始させるように、前記モータの回転を制御する駆動装置を提供する。
【００１８】
これにより、動力伝達ユニットにより回転駆動される像担持体は転写装置よりも速く回転を開始する。従って、転写装置の回転動作により像担持体が連れ回される現象をより防ぐことができる。
【発明の効果】
【００１９】
本発明によると、画像形成動作の開始指示を受けてモータが起動する時から、駆動装置は正常な制御動作を行うことができる。
【発明を実施するための最良の形態】
【００２０】
＜実施形態＞
図１は、本実施形態に係る駆動装置１の断面構成及びその周辺装置との接続を示した図である。図１の駆動装置１は、画像形成装置３１と接続されており、図２に示すような画像形成装置３１内に設けられた感光体ドラム３２（像担持体に相当）を駆動するための装置として用いられる。より具体的には、駆動装置１は、各感光体ドラム３２のそれぞれを駆動可能なように、各感光体ドラム３２に対応して設けられている。
【００２１】
画像形成装置３１は、例えばカラープリンタやカラー複写機等に用いられるカラー画像形成装置であって、本実施形態では、画像形成装置３１がタンデム式のフルカラー画像形成装置である場合を例にとる。画像形成装置３１は、図２に示すように、イエロー、マゼンダ、シアン及びブラックの各色用の感光体ドラム３２、転写ベルト３３、駆動ローラ３４ａ、従動ローラ３４ｂ及び摩擦力検知センサ３５等を含む画像形成部を有している。転写ベルト３３は、各感光体ドラム３２の外周面に当接されており、駆動ローラ３４ａと従動ローラ３４ｂとの間に掛け渡されて循環駆動される。駆動ローラ３４ａは、感光体ドラム３２を駆動するための駆動装置１とは別の駆動装置３６に接続されており、駆動装置３６により回転駆動される。摩擦力検知センサ３５は、感光体ドラム３２と転写ベルト３３との当接箇所における摩擦力を検知する。
【００２２】
（１）駆動装置の構成
以下より、駆動装置１の構成について、図１、図３及び図４を用いて説明する。
【００２３】
駆動装置１は、回転駆動源としてのモータ２、モータ回転軸３、複数の遊星ローラ４、トルク検知センサ５（トルク検知手段に相当）、リング６、キャリアローラ７、出力軸８、固定体９及び制御部２１を含む。
【００２４】
モータ回転軸３は、モータ２の回転を外部に出力する。複数の遊星ローラ４は、モータ回転軸３の外周面とリング６の内周面との間に圧接された状態で位置している。尚、本実施形態では、遊星ローラ４が３つの場合を例にとる。各遊星ローラ４の縁部はゴムや樹脂等の弾性体４ａで形成されている。トルク検知センサ５は、固定体９の内周面でキャリアローラ７に対応する位置に配置され、キャリアローラ７の回転トルク、即ち出力軸８の出力トルクを検知する。リング６は、Fe等の金属で形成されており、３つの遊星ローラ４を取り囲むように位置し、各遊星ローラ４と内周面で接している。更に、リング６は、外周面上に突出した突出部６ａを有している。キャリアローラ７は、遊星ローラ４から見てモータ２の反対側に位置しており、遊星ローラ４の回転軸４ｂにより遊星ローラ４と連結されている。そしてキャリアローラ７は、固定体９の一部に位置している軸受８ａを介して出力軸８と連結されており、その縁部はマグネット７ａで形成されている。出力軸８は、モータ回転軸３と同一軸心上で、キャリアローラ７の回転を外部に出力する。固定体９は、モータ２の外側に位置しており、モータ回転軸３、３つの遊星ローラ４、トルク検知センサ５、リング６及びキャリアローラ７を取り囲んでいる。そして、固定体９には、リング６の突出部６ａに対応する位置に、突出部６ａが所定の距離を移動可能な幅を有する開口部９ａが形成されている。以下より、遊星ローラ４、リング６、キャリアローラ７、出力軸８及び固定体９を、まとめて“遊星ローラ式動力伝達ユニット”と言う。
【００２５】
制御部２１は、モータ２及び固定体９の外側に位置しており、図１及び図４に示すように、モータ２、トルク検知センサ５及び画像形成装置３１と接続されている。制御部２１の構成については後述する。
【００２６】
（２）遊星ローラ式動力伝達ユニット及びモータ回転軸の動作
ここで、遊星ローラ式動力伝達ユニット及びモータ回転軸３の動作について、図３を用いて説明する。
【００２７】
先ず、モータ回転軸３がモータ２の回転方向に回転すると、３つの遊星ローラ４は、モータ回転軸３を中心とし、リング６の内周面に沿ってモータ回転軸３の回転方向と同じ方向に公転する。更に、各遊星ローラ４は、各遊星ローラ４の回転軸４ｂを中心としてモータ回転軸３の回転方向とは逆の方向に自転する。キャリアローラ７は、遊星ローラ４の公転に連動して回転する。即ち、キャリアローラ７は、モータ回転軸３の回転方向と同じ方向に回転する。この時、キャリアローラ７は、モータ回転軸３の回転が遊星ローラ４の自転により減速された速度で回転する。
【００２８】
また、リング６は、上述した遊星ローラ４の公転に連動して回転する。即ち、リング６は、モータ回転軸３を中心として遊星ローラ４の公転方向と同じ方向に回転するが、突出部６ａを有しているため、突出部６ａが固定体９の開口部９ａ内を移動できる分だけ回転する。例えば、モータ回転軸３及びリング６が時計回りに回転し、リング６の突出部６ａが固定体９の開口部９ａの内壁に接すると、リング６は回転を停止する。この状態で、モータ回転軸３が逆に回転し始めると、リング６の突出部６ａは接している開口部９ａの内壁から離れ、リング６はモータ回転軸３と同じ方向に回転する。そして、突出部６ａが固定体９の開口部９ａの反対側の内壁に接すると、リング６は回転を停止する。即ち、モータ回転軸３の回転方向を変化させると、リング６の突出部６ａは固定体９の開口部９ａ内を往復移動する。
【００２９】
（３）制御部の構成
制御部２１は、図４に示すように、タイマ２２、モータ駆動制御部２３、モータ回転方向制御部２４、モータ回転速度制御部２５及び転写ベルト駆動指示部２６を含む。
【００３０】
（３−１）タイマ
タイマ２２は、時刻情報を出力する。タイマ２２の時刻情報は、モータ駆動制御部２３、モータ回転方向制御部２４、モータ回転速度制御部２５及び転写ベルト駆動指示部２６が信号を生成する際に用いられる。
【００３１】
（３−２）モータ駆動制御部
モータ駆動制御部２３は、モータ２の駆動制御を行う。具体的には、モータ駆動制御部２３は、タイマ２２からの時刻情報を基準として、モータ２の駆動のオン及びオフを制御するためのモータ駆動制御信号MOT_DRを生成してモータ２に出力する。
【００３２】
（３−３）モータ回転方向制御部
モータ回転方向制御部２４は、モータの回転方向を指示するためのモータ回転方向制御信号MOT_DIRをタイマ２２からの時刻情報を基準として生成し、モータ２に出力する。
【００３３】
具体的には、モータ回転方向制御部２４は、画像形成装置３１が画像形成処理を終了してから次の画像形成処理の開始を示す信号を例えば画像処理装置３１から受信するまでの間、リングの突出部６ａが固定体９の開口部９a内を往復移動するように、モータ２の回転方向を制御する。また、モータ回転方向制御部２４は、画像形成処理の開始を示す信号を受信してからこの画像形成処理の終了を示す信号を受信するまでの間、モータ２が正方向へ回転するように、モータ２の回転方向を制御する。
【００３４】
（３−４）モータ回転速度制御部
モータ回転速度制御部２５は、モータ２の回転速度を指示するためのモータ回転速度制御信号MOT_FCLKをタイマ２２からの時刻情報を基準として生成し、モータ２に出力する。
【００３５】
具体的には、モータ回転速度制御部２５は、画像形成装置３１が画像形成処理を終了してから次の画像形成処理の開始指示を示す信号を例えば画像処理装置３１から受信するまでの間、リング６の突出部６ａが固定体９の開口部９ａ内を微速で移動するようにモータ２の回転速度を制御する。
【００３６】
また、モータ回転速度制御部２５は、画像形成処理の開始を示す信号を受信してから画像形成処理が開始されるまでの所定期間、トルク検知センサ５が検知する出力軸８の出力トルクが、摩擦力検知センサ３５が検出した感光体ドラム３２と転写ベルト３３との間の摩擦力に対応するトルク以上となるように、モータ２の回転速度を制御する。これにより、遊星ローラ式動力伝達ユニットにより回転駆動される感光体ドラム３２は、転写ベルト３３よりも速い回転速度で回転する。
【００３７】
上記の所定期間経過後、モータ回転速度制御部２５は、モータ２が定常回転の速度で回転を行うように、モータ２の回転速度を制御する。
【００３８】
（３−５）転写ベルト駆動指示部
転写ベルト駆動指示部２６は、モータ回転速度制御信号MOT_FCLKが立ち上がると、駆動ローラ３４ａの回転動作の開始を指示するための信号をタイマ２２からの時刻情報を基準として生成し、転写ベルトの駆動装置３６に出力する。これにより、駆動ローラ３４ａは、画像形成処理の開始を示す信号を受けて感光体ドラム３２が回転を開始した後に回転し始め、転写ベルト３３は、この駆動ローラ３４ａの回転により回転する。
【００３９】
（４）制御部内の各機能の動作
図５は、制御部２１の動作を説明するためのタイミングチャートである。図５の画像形成処理信号は、画像形成装置３１により画像形成動作が行われていることを示すための信号であって、画像形成動作が行われている期間を“１”として表す。画像形成指示信号は、画像形成処理の開始及び終了を指示するための信号である。モータ駆動制御信号MOT_DRは、モータ停止を“０”、駆動を“１”として表す。モータ回転方向制御信号MOT_DIRは、図３におけるモータ回転軸３の時計回り方向を“１”、モータ回転軸３の反時計回り方向を“０”として表す。
【００４０】
先ず、制御部２１が、画像形成処理の終了指示を示す画像形成指示信号を画像形成装置３１等の外部から受信すると、制御部２１のモータ駆動制御部２３は、モータ駆動制御信号MOT_DRを一旦リセットさせた後、モータ駆動制御信号MOT_DR“１”をモータ２に出力する。モータ回転方向制御部２４は、リング６の突出部６ａが固定体９の開口部９ａ内を往復移動するように、モータ２の回転方向を周期的に変化させるためのモータ回転方向制御信号MOT_DIRを、モータ２に出力する。具体的には、モータ回転方向制御部２４は、所定の周期及び所定のHigh期間を有するパルスを出力し続ける。モータ回転速度制御部２５は、リング６の突出部６ａが固定体９の開口部９ａ内を微速で移動するためのモータ回転速度制御信号MOT_FCLKを、モータ２に出力する。尚、図５では、モータ回転速度制御信号MOT_FCLKは、モータ回転方向制御信号MOT_DIRに同期している。
【００４１】
これにより、モータ２は、モータ駆動制御部２３、モータ回転方向制御部２４及びモータ回転速度制御部２５から送られてきた各信号に基づいて、時計回り方向及び反時計周り方向に微速回転する。すると、リング６の突出部６ａは固定体９の開口部９ａ内を往復移動し、遊星ローラ４はモータ回転軸３の外周面上の所定の幅を往復移動する。これにより、モータ回転軸３の外周面と接する遊星ローラ４の弾性体４ａの一定箇所には圧力がかからなくなる。
【００４２】
次いで、制御部２１が、画像形成処理の開始指示を示す画像形成指示信号を画像形成装置３１等の外部から受信すると、制御部２１のモータ駆動制御部２３はモータ駆動制御信号MOT_DRを一旦リセットさせた後、再度モータ駆動制御信号MOT_DR“１”をモータ２に出力する。モータ回転方向制御部２４は、モータ２を時計回り方向に回転させるためのモータ回転方向制御信号MOT_DR“１”をモータ２に出力する。モータ回転速度制御部２５は、トルク検知センサ５が検知する出力トルクの監視を開始すると共に、モータ２を画像形成処理の開始指示の信号を受信待機している時よりも早い速度で回転させるためのモータ回転速度制御信号MOT_FCLKを、モータ２に出力する。転写ベルト駆動指示部２６は、モータ回転速度制御信号MOT_FCLKの監視を開始する。
【００４３】
モータ２は、モータ回転速度制御信号MOT_FCLKに基づいて回転を開始すると、リング６はモータ回転軸３の回転に連動して回転する。リング６の突出部６ａが開口部９ａの内壁のうちモータ回転軸３の回転方向の内壁に接触すると、リング６の回転は停止し、出力軸８からはモータ２の回転速度が所定の比率で減速された回転が安定して出力される。この出力軸８から出力された回転により感光体ドラム３２が回転を開始すると、転写ベルト駆動指示部２６は、駆動ローラ３４ａの回転動作の開始を指示する信号を転写ベルトの駆動装置に出力する。
【００４４】
これにより、駆動ローラ３４ａは回転を行い、転写ベルト３３は駆動ローラ３４ａの回転に連動して回転する。そして、転写ベルト３３と感光体ドラム３２とが当接されている箇所には摩擦力が生じる。
【００４５】
転写ベルト３３が回転開始後、モータ回転速度制御部２５は、摩擦力検知センサ３５が検知した摩擦力を取得し、トルク検知センサ５により検出される出力軸８の出力トルクが摩擦力検知センサ３５により検出された摩擦力に対応するトルク以上となるように、モータ回転速度制御信号MOT_FCLKを調節してモータ２に出力する。
【００４６】
これにより、モータ２は、調節されたモータ回転速度制御信号MOT_FCLKに基づいた速度で回転し、感光体ドラム３２は、転写ベルト３３よりも速い速度で回転する。
【００４７】
画像形成処理の開始指示を示す画像形成指示信号を受信してから所定期間Taが経過すると、モータ回転速度制御部２５はモータ２を画像形成時の速度で回転させるためのモータ回転速度制御信号MOT_FCLKを生成し、モータ２に出力する。モータ２が定常回転状態に至ると、感光体ドラム３２も定常回転状態となり、画像形成処理が画像形成装置３１により実行される（画像形成処理信号“１”）。
【００４８】
（５）効果
この駆動装置１は、画像形成処理の開始指示があってから画像形成動作が開始されるまでの間、感光体ドラム３２を転写ベルト３３より先に回転させるように制御すると共に、出力軸８の出力トルクが感光体ドラム３２と転写ベルト３３との当接箇所における摩擦力に対応するトルク以上となるように、モータ２の回転を制御する。これにより、駆動装置１により回転駆動される感光体ドラム３２は、転写ベルト３３よりも速い速度で回転する。従って、転写ベルト３３の回転動作により感光体ドラム３２が連れ回され、リング６の突出部６ａが固定体９の開口部９ａ内に移動してしまう現象が生じないため、駆動装置１は正常な制御動作を行うことができる。
【００４９】
また、駆動装置１は、画像形成処理の終了指示を受けてから次の画像形成処理の開始指示を受けるまでの間、リング６の突出部６ａが固定体９の開口部９ａ内を往復移動するようにモータ２を微速回転させる。これにより、遊星ローラ４も微速回転を行う。そのため、モータ回転軸３の外周面と接する遊星ローラ４の弾性体４ａの一定箇所に圧力がかかることを避けられるため、遊星ローラ４の弾性体４ａに弾性変形が生じることを防止できる。
【００５０】
＜その他の実施形態＞
（ａ）上記実施形態では、制御部は、感光体ドラムを駆動ローラよりも先に駆動させると共に、出力軸の出力トルクが感光体ドラムと転写ベルトとの当接箇所における摩擦力に対応するトルク以上となるように制御すると記したが、感光体ドラムを駆動ローラよりも先に駆動させる制御は必ずしも行わなくともよい。
【００５１】
（ｂ）上記実施形態では、制御部は、画像形成処理の開始指示を受けてから画像形成処理が開始されるまでの所定期間、出力軸の出力トルクが感光体ドラムと転写ベルトとの当接箇所における摩擦力に対応するトルク以上となるようにモータの回転を制御していたが、これに限定されない。制御部は、出力軸の回転速度が転写ベルトの回転速度以上となるように制御してもよい。
【００５２】
図６は、制御部が上述した動作を行う場合の駆動装置の断面構成図であって、図７は、制御部の構成及び周辺装置との接続を示す図である。図６及び図７に示すように、駆動装置１０１は、動力伝達ユニットの出力軸１０８の回転速度を検知するための第１速度検知センサ１０５’を更に備える。そして、画像形成装置１３１には、駆動ローラ１３４ａの回転速度を検知するための第２速度検知センサ１３５’が備えられている。制御部１２１のモータ回転速度制御部１２５は、第１速度検知センサ１０５’が検知する出力軸１０８の回転速度が、第２速度検知センサ１３５’が検知する駆動ローラ１３４ａの回転速度以上となるようにモータ回転速度制御信号MOT_FCLKを調節してモータ１０２に出力する。これにより、モータ１０２は、駆動ローラ１３４ａに連動して回転する転写ベルト１３３よりも早い速度で回転する。
【００５３】
尚、駆動装置１０１の他の構成及び動作については上記実施形態と同様である。また、図６及び図７では、トルク検知センサ及び摩擦力検知センサを省略している。
【産業上の利用可能性】
【００５４】
本発明の駆動装置は、カラープリンタやカラー複写機等のカラー画像形成装置内の感光体ドラムの駆動用装置として用いることができる。
【図面の簡単な説明】
【００５５】
【図１】本実施形態に係る駆動装置の断面構成とその周辺装置との接続を示した図。
【図２】本実施形態の駆動装置が用いられる画像形成装置の概略図。
【図３】駆動装置のIII−III線断面図。
【図４】制御部の機能構成図。
【図５】制御部が入出力する各種信号のタイミングチャート。
【図６】その他の実施形態に係る駆動装置の断面構成とその周辺装置との接続を示した図。
【図７】その他の実施形態に係る駆動装置の機能構成図。
【符号の説明】
【００５６】
１  駆動装置
２  モータ
３  モータ回転軸
４  遊星ローラ
４ａ  弾性体
５  トルク検知センサ
６  リング
６ａ  突出部
７  キャリアローラ
８  出力軸
９  固定体
９ａ  開口部
【図１】
2007264406.tif 000003
【図２】
2007264406.tif 000004
【図３】
2007264406.tif 000005
【図４】
2007264406.tif 000006
【図５】
2007264406.tif 000007
【図６】
2007264406.tif 000008
【図７】
2007264406.tif 000009